(57)【要約】      （修正有）【課題】ＬＥＤの操作電圧が低すぎる時に、ＬＥＤ閃光を防止することができるＬＥＤの駆動回路および照明装置ならびにＬＥＤ駆動方法を提供する。【解決手段】駆動回路１２０が整流回路と処理ユニット１２６と電気エネルギー変換回路と検知ユニット１２４とを含む。整流回路がＡＣ電力を整流して第１操作電圧を出力する。処理ユニットが整流回路に連結され、かつ第２操作電圧およびＰＷＭ信号を出力する。電気エネルギー変換回路が整流回路と処理ユニットとＬＥＤ間に連結されるとともに、ＰＷＭ信号に従ってＬＥＤを駆動する。検知ユニットが整流回路と処理ユニットとに連結され、かつ第１操作電圧を検知する。第１操作電圧が臨界電圧より小さいか等しい時、検知ユニット１２４がディスエーブル信号を処理ユニット１２６へ出力してＰＷＭ信号を不動作にする。【選択図】図１Ａ
0003162194.tif 000002
【実用新案登録請求の範囲】
【請求項１】
駆動回路であり、交流（alternating current = AC）電力を受信して発光ダイオード（light emitting diode = LED）を駆動することに適するものであって、前記駆動回路が：
ＡＣ電力を整流して第１操作電圧を出力するための整流回路と；
前記整流回路に連結され、第２操作電圧およびパルス幅変調（pulse width modulation = PWM）信号を出力するための処理ユニットと；
前記整流回路、前記処理ユニットおよび前記ＬＥＤ間に連結され、前記ＰＷＭ信号に従って前記ＬＥＤを駆動するための電気エネルギー変換回路と；
前記整流回路および前記処理ユニットに連結されて、前記第１操作電圧を検知するための検知ユニットと
を備え、そのうち、前記第１操作電圧が臨界電圧より低いか等しい時、前記検知ユニットがディスエーブル信号を前記処理ユニットへ出力して前記ＰＷＭ信号を不動作とするものである、駆動回路。
【請求項２】
前記処理ユニットが、前記ディスエーブル信号に従って前記ＰＷＭ信号を出力するとともに、前記電気エネルギー変換回路により出力されるフィードバック信号に従って前記ＰＷＭ信号を調整するものである請求項１に記載の駆動回路。
【請求項３】
前記処理ユニットが、電圧安定回路とＰＷＭ回路とを備え、そのうち、前記電圧安定回路の出力端が前記ＰＷＭ回路に連結され、前記電圧安定回路が前記第２操作電圧を出力し、かつ前記ＰＷＭ回路が前記ＰＷＭ信号を出力する請求項１または２に記載の駆動回路。
【請求項４】
前記電圧安定回路が、前記第１操作電圧を受信して前記第２操作電圧を前記ＰＷＭ回路へ出力するものである請求項３に記載の駆動回路。
【請求項５】
前記検知ユニットが：
前記整流回路に連結され、前記第１操作電圧を受信して比較電圧を出力するフィルターと；
前記処理ユニットに連結され、前記第２操作電圧を受信して参考電圧を出力する参考電圧発生器と；
前記フィルターおよび前記参考電圧発生器に連結され、前記参考電圧および前記比較電圧を比べて前記第１操作電圧が前記臨界電圧より低いか等しいかを判定するとともに、それにより前記ディスエーブル信号を出力するヒステリシス比較器と
を備える請求項１から４の何れか１項に記載の駆動回路。
【請求項６】
前記フィルターが：
前記整流回路に連結される第１端を有して、前記第１操作電圧を受信する第１抵抗器と；
前記第１抵抗器の第２端に連結される第１端、ならびに前記比較電圧を出力するための第２端を有する第２抵抗器と；
前記第１抵抗器の前記第２端および接地間に連結される第１キャパシターと；
前記第２抵抗器の前記第２端ならびに前記接地間に連接される第２キャパシターと；
前記第１抵抗器の前記第２端および前記接地間に連接される第３抵抗器と
を備えるものである請求項５記載の駆動回路。
【請求項７】
前記参考電圧発生器が：
前記処理ユニットに連結される第１端および前記参考電圧を出力するための第２端を有する第４抵抗器と；
前記第４抵抗器の前記第２端および接地間に連結されるツェナーダイオード（zener diode）と
を備える請求項５記載の駆動回路。
【請求項８】
前記参考電圧発生器が：
前記処理ユニットに連結される第１端および前記参考電圧を出力するための第２端を有する第４抵抗器と；
前記第４抵抗器の前記第２端および接地間に連結される第５抵抗器と
を備える請求項５記載の駆動回路。
【請求項９】
前記処理ユニットが、特定用途向け集積回路（application specific integrated circuit = ASIC）である請求項１から８の何れか１項に記載の駆動回路。
【請求項１０】
前記電気エネルギー変換回路が、降圧（buck）回路、昇圧（boost）回路またはフライバック（flyback）回路である請求項１から９の何れか１項に記載の駆動回路。
【請求項１１】
前記ＡＣ電力が、調光器により調整されたＡＣ電力である請求項１から１０の何れか１項に記載の駆動回路。
【請求項１２】
照明装置であり、ＡＣ電力を受信して照明を提供することに適し、前記照明装置が：
ＬＥＤと；
前記ＬＥＤに連結される駆動回路とを備え、前記駆動回路が：
前記ＡＣ電力を整流して第１操作電圧を出力するための整流回路と；
前記整流回路に連結されて、第２操作電圧およびＰＷＭ信号を出力する処理ユニットと；
前記整流回路、前記処理ユニットならびに前記ＬＥＤ間に連結され、前記ＰＷＭ信号に従って、前記ＬＥＤを駆動するための電気エネルギー変換回路と；
前記整流回路および前記処理ユニットに連結されて、前記第１操作電圧を検知するための検知ユニットとを備え、
そのうち、前記第１操作電圧が臨界電圧より低いか等しい時、前記検知ユニットがディスエーブル信号を前記処理ユニットへ出力して前記ＰＷＭ信号を不動作とするものである、照明装置。
【請求項１３】
前記処理ユニットが、前記ディスエーブル信号に従って前記ＰＷＭ信号を出力するとともに、前記電気エネルギー変換回路により出力されるフィードバック信号に従って前記ＰＷＭ信号を調整するものである請求項１２に記載の照明装置。
【請求項１４】
前記処理ユニットが、電圧安定回路とＰＷＭ回路とを備え、そのうち、前記電圧安定回路の出力端が前記ＰＷＭ回路に連結され、前記電圧安定回路が前記第２操作電圧を出力し、かつ前記ＰＷＭ回路が前記ＰＷＭ信号を出力する請求項１２または１３に記載の照明装置。
【請求項１５】
前記電圧安定回路が、前記第１操作電圧を受信して前記第２操作電圧を前記ＰＷＭ回路へ出力するものである請求項１４記載の照明装置。
【請求項１６】
前記検知ユニットが：
前記整流回路に連結され、前記第１操作電圧を受信して比較電圧を出力するフィルターと；
前記処理ユニットに連結され、前記第２操作電圧を受信して参考電圧を出力する参考電圧発生器と；
前記フィルターおよび前記参考電圧発生器に連結され、前記参考電圧および前記比較電圧を比べて前記第１操作電圧が前記臨界電圧より低いか等しいかを判定するとともに、それにより前記ディスエーブル信号を出力するヒステリシス比較器と
を備える請求項１２から１５の何れか１項に記載の照明装置。
【請求項１７】
前記フィルターが：
前記整流回路に連結される第１端を有して、前記第１操作電圧を受信する第１抵抗器と；
前記第１抵抗器の第２端に連結される第１端、ならびに前記比較電圧を出力するための第２端を有する第２抵抗器と；
前記第１抵抗器の前記第２端および接地間に連結される第１キャパシターと；
前記第２抵抗器の前記第２端ならびに前記接地間に連接される第２キャパシターと；
前記第１抵抗器の前記第２端および前記接地間に連接される第３抵抗器と
を備えるものである請求項１６記載の照明装置。
【請求項１８】
前記参考電圧発生器が：
前記処理ユニットに連結される第１端および前記参考電圧を出力するための第２端を有する第４抵抗器と；
前記第４抵抗器の前記第２端および接地間に連結されるツェナーダイオード（zener diode）と
を備える請求項１６記載の照明装置。
【請求項１９】
前記参考電圧発生器が：
前記処理ユニットに連結される第１端および前記参考電圧を出力するための第２端を有する第４抵抗器と；
前記第４抵抗器の前記第２端および接地間に連結される第５抵抗器と
を備える請求項１６記載の照明装置。
【請求項２０】
前記処理ユニットが、特定用途向け集積回路（application specific integrated circuit = ASIC）である請求項１２から１９の何れか１項に記載の照明装置。
【請求項２１】
前記電気エネルギー変換回路が、降圧（buck）回路、昇圧（boost）回路またはフライバック（flyback）回路である請求項１２から２０の何れか１項に記載の照明装置。
【請求項２２】
前記ＡＣ電力が、調光器により調整されたＡＣ電力である請求項１２から２１の何れか１項に記載の照明装置。
【考案の詳細な説明】
【技術分野】
【０００１】
この考案は、一般に駆動回路および照明装置に関し、特に、発光ダイオード（light emitting diode = LED）を駆動する回路ならびにそれを使用する照明装置に関する。
【背景技術】
【０００２】
現今、発光ダイオード（light emitting diodes = LEDs）は、LEDsの小さな体積、低い電力消費、長い寿命および低コストのおかげで、ますます光源として様々な製品に使用されている。また、ＬＥＤが非常に低い操作電圧（わずか1.5-3V）を必要とし、自発的に発光するとともに、電圧または電流を通じて調整できる一定の輝度を提供する。更に、ＬＥＤは、高い耐震性、抗振動性および長い寿命（100,000時間）を提供する。かくして、ＬＥＤは、自動車ヘッドランプ、交通信号灯、テキストディスプレイ、ディスプレイパネル、大画面ビデオディスプレイ、商業ビル照明ならびにＬＣＤ（液晶ディスプレイ）バックライトのような各種の端末設備に使用されている。
【０００３】
一般的な照明への応用において、ＬＥＤの発光効果は、調光器（dimmer）を使用することにより調整されるとともに、ＬＥＤに供給される駆動電流は、駆動チップにより調整される。言い換えれば、調光器がＡＣ電流を受信するとともに、その導通条件（turn-on condition）に従って電圧を提供する。駆動チップが電流を調整してＬＥＤへ出力し、調光器によって出力される電圧に基づいて、ＬＥＤの輝度を調整する。しかし、調光器の導通条件がＬＥＤをオフとする臨界点（threshold）に到達する時、閃光（light flashing）がＬＥＤに発生し得る。
【考案の概要】
【考案が解決しようとする課題】
【０００４】
調光器の導通条件がＬＥＤをオフにする臨界点に到達する時、調光器によって駆動チップへ提供される電圧が低すぎる。不安定な電圧により、駆動チップがＬＥＤを正常に駆動できないとともに、それによりＬＥＤ閃光（flashing）が引き起こされる。
【０００５】
そこで、この考案の目的は、従来の壁掛け式調光器に適した発光ダイオード（light emitting diode = LED）の駆動回路および照明装置を提供することにあり、そのうち、もしも調光器が駆動臨界点へ調整され、かつ操作電圧が低すぎるものとなった場合、駆動回路が自動的にＬＥＤを駆動することを停止して、ＬＥＤ中の閃光を回避するものである。
【０００６】
この考案の目的は、ＬＥＤを駆動する方法を提供することにあり、そのうち、調光器により出力される調整された交流電流（alternating current = AC）電力が自動的に検知されるとともに、もしもＡＣ電力によって整流される操作電圧が低すぎれば、ＬＥＤを駆動するためのパルス幅変調（pulse width modulation）信号が不動作（disable）となってＬＥＤを駆動することを停止し、ＬＥＤ中の閃光を回避するとともに、調光を安定化させる。
【課題を解決するための手段】
【０００７】
この考案は、ＡＣ電力を受信してＬＥＤを駆動するのに適した駆動回路を提供する。駆動回路が整流回路と処理ユニットと電気エネルギー変換回路と検知ユニットとを含む。整流回路が、ＡＣ電力を整流して第１操作電圧を出力する。処理ユニットが、整流回路に連結され、第２操作電圧およびＰＷＭ信号を出力する。電気エネルギー変換が、整流回路、処理ユニットおよびＬＥＤ間に連結され、ＰＷＭ信号に従ってＬＥＤを駆動する。検知ユニットが、整流回路および前記処理ユニットに連結されて、前記第１操作電圧を検知する。第１操作電圧が臨界電圧より低いか等しい時、検知ユニットがディスエーブル信号を処理ユニットへ出力してＰＷＭ信号を不動作とする。
【０００８】
この考案は、また、ＡＣ電力を受信して照明を提供することに適した照明装置を供給する。照明装置がＬＥＤと駆動回路とを含む。駆動回路がＬＥＤに連結されるとともに、駆動回路が整流回路と処理ユニットと電気エネルギー変換回路と検知ユニットとを備える。整流回路がＡＣ電力を整流して第１操作電圧を出力する。処理ユニットが整流回路に連結されて、第２操作電圧およびＰＷＭ信号を出力する。電気エネルギー変換回路が整流回路、処理ユニットならびにＬＥＤ間に連結され、ＰＷＭ信号に従ってＬＥＤを駆動する。検知ユニットが整流回路および処理ユニットに連結されて、前記第１操作電圧を検知する。第１操作電圧が臨界電圧より低いか等しい時、検知ユニットがディスエーブル信号を処理ユニットへ出力してＰＷＭ信号を不動作とする。
【０００９】
この考案の実施形態に従い、処理ユニットが、ディスエーブル信号に従ってＰＷＭ信号を出力するとともに、電気エネルギー変換回路により出力されるフィードバック信号に従ってＰＷＭ信号を調整する。
【００１０】
この考案の実施形態に従い、処理ユニットが、電圧安定回路とＰＷＭ回路とを備え、そのうち、電圧安定回路の出力端がＰＷＭ回路に連結され、電圧安定回路が第２操作電圧を出力し、かつＰＷＭ回路がＰＷＭ信号を出力するものである。
【００１１】
この考案の実施形態に従い、電圧安定回路が、第１操作電圧を受信して第２操作電圧をＰＷＭ回路へ出力するものである。
【００１２】
この考案の実施形態に従い、検知ユニットが、フィルターと参考電圧発生器とヒステリシス比較器とを備える。フィルターが整流回路に連結され、第１操作電圧を受信して比較電圧を出力する。参考電圧発生器が整流回路に連結され、第２操作電圧を受信して参考電圧を出力する。ヒステリシス比較器がフィルターおよび参考電圧発生器に連結され、参考電圧および比較電圧を比べて第１操作電圧が臨界電圧より低いか等しいかを判定するとともに、それによりディスエーブル信号を出力する。
【００１３】
この考案の実施形態に従い、フィルターが、第１抵抗器と第２抵抗器と第１キャパシターと第２キャパシターと第３抵抗器とを備える。第１抵抗器の第１端が前記整流回路に連結されて、第１操作電圧を受信する。第２抵抗器の第１端が第１抵抗器の第２端に連結されるとともに、その第２端が比較電圧を出力する。第１キャパシターが第１抵抗器の第２端および接地間に連結される。第２キャパシターが第２抵抗器の第２端ならびに接地間に連接される。第３抵抗器が第１抵抗器の第２端および接地間に連接される。
【００１４】
この考案の実施形態に従い、前記参考電圧発生器が第４抵抗器とツェナーダイオード（zener diode）とを備える。第４抵抗器の第１端が処理ユニットに連結されるとともに、その第２端が参考電圧を出力する。ツェナーダイオードが第４抵抗器の第２端および接地間に連結される。
【００１５】
この考案の実施形態に従い、参考電圧発生器が第４抵抗器と第５抵抗器とを含む。第４抵抗器の第１端が処理ユニットに連結されるとともに、その第２端が参考電圧を出力する。第５抵抗器が第４抵抗器の第２端および接地間に連結される。
【００１６】
この考案の実施形態に従い、処理ユニットが、特定用途向け集積回路（application specific integrated circuit = ASIC）である。
【００１７】
この考案の実施形態に従い、電気エネルギー変換器が、降圧（buck）回路、昇圧（boost）回路またはフライバック（flyback）回路である。
【００１８】
この考案は、更に、ＬＥＤを駆動する方法を提供する。駆動方法中、ＡＣ電力が先ず整流されて操作電圧を出力する。そして、操作電圧およびＰＷＭ信号が受信されるとともに、駆動信号が操作電圧および前記ＰＷＭ信号に従って出力され、ＬＥＤを駆動する。次に、操作電圧を検知するとともに、操作電圧が臨界電圧よりも小さいか等しい時、ＰＷＭ信号が不動作にされてＬＥＤを駆動することを停止する。
【作用】
【００１９】
上記したように、この考案は、照明装置とＬＥＤの駆動回路とその駆動方法とを提供し、そのうち、ＡＣ電力を整流することにより発生された操作電圧が先ず検知されるとともに、操作電圧が臨界電圧より小さいか等しい時、駆動回路がＬＥＤを駆動することを停止し、ＬＥＤ中の閃光問題が防止される。また、この考案に従い、適切な操作範囲が駆動回路中に設定され、かつユーザーが調光器を調整して、整流されたＡＣ電力の操作電圧が低くなりすぎる時、駆動回路が自動的にそれを検知するとともに、ＬＥＤを駆動することを停止する。それにより、ＬＥＤ中の閃光問題が防止されるとともに、ＬＥＤの調光が安定したものとなる。
【考案の効果】
【００２０】
つまり、この考案は、照明装置と、ＬＥＤの駆動回路と、その駆動方法とを提供する。ＡＣ電力を整流することによって発生された操作電圧が先ず検知されるとともに、操作電圧に対応する比較電圧が臨界電圧より小さいか等しい時、駆動回路がＬＥＤを駆動することを停止して、ＬＥＤ中の閃光問題が回避される。加えて、この考案に基づき、ユーザーが調光器を調整してＡＣ電力を整流することにより発生された操作電圧が低くなりすぎる時、駆動回路が自動的にそれを検知するとともに、ＰＷＭ信号の生成を停止してＬＥＤの駆動を停止する。それによって、ＬＥＤ中の閃光問題が防止され、かつＬＥＤの調光が安定化される。
【図面の簡単な説明】
【００２１】
【図１Ａ】この考案の実施形態にかかる照明装置を示す概略的なブロック図である。
【図１Ｂ】図１Ａ中の照明装置の回路図である。
【図１Ｃ】図１Ａ中の照明装置の別な回路図である。
【図２】第１操作電圧と比較電圧とを示す波形図である。
【図３】第１操作電圧と比較電圧とを示す波形図である。
【図４】第１操作電圧と比較電圧とを示す波形図である。
【図５】第１操作電圧と比較電圧とを示す波形図である。
【図６】この考案の実施形態にかかるＬＥＤ駆動方法を示すフローチャートである。
【考案を実施するための形態】
【００２２】
以下、この考案を実施するための形態を図面に基づいて説明する。
図１Ａは、この考案の実施形態にかかる照明装置を示す概略的なブロック図である。図１Ａにおいて、照明装置１００は、発光ダイオード（light emitting diode = LED）１１０と、駆動回路１２０とを備える。駆動回路１２０は、整流回路１２２と、検知ユニット１２４と、処理ユニット１２６と、電気エネルギー変換回路１２８とを含む。この実施形態中、照明装置１００が更に調光器１４０を含み、そのうち、調光器１４０が電源１３０から電圧Ｖｓを受信するとともに、導通条件に従って交流（alternating current = AC）電力Ｖａｃを出力する。この実施形態中、調光器１４０は、トライアック（tri-electrode AC = TRIAC）スイッチにより実行されるが、この考案は、それに限定されるものではない。
【００２３】
ＴＲＩＡＣ調光スイッチは、光源の照明強度に対応する９つの異なるレベル（即ち、順番に、最大MAXレベル、１ｔｈ〜７ｔｈレベル、最小MINレベル）を有し、そのうち、各レベルが異なる遅延角度αに対応している。より大きい遅延角度αがより小さい導通角度であるとともに、それにより調光器１４０オフがより長くなる。つまり、調光器１４０は、トライアックスイッチの導通条件を調整することにより、ＡＣ電力Ｖａｃのデューティサイクル（duty cycle）および波形を調整する。また、電源１３０は、商用ＡＣ電力または電力供給器により供給されるが、この考案は、それに限定されるものではない。
【００２４】
この実施形態中、整流回路１２２がＡＣ電力Ｖａｃを整流して第１操作電圧Ｖｄｃを生成するとともに、第１操作電圧Ｖｄｃを検知ユニット１２４と処理ユニット１２６と電気エネルギー変換回路１２８とへ送る。ＡＣ電力Ｖａｃのデューティサイクルおよび波形が変化する時、それにより第１操作電圧Ｖｄｃのデューティサイクルおよび波形が変化する。しかし、フィルター１２４ａの存在ために第１操作電圧Ｖｄｃが安定を維持する。この実施形態中、整流回路１２２はブリッジ整流器により実行されるが、この考案は、それに限定されるものではない。
【００２５】
この実施形態中、処理ユニット１２６が更に電圧安定回路１２６ａとパルス幅変調（pulse width modulation = PWM）回路１２６ｂとを含む。電圧安定回路１２６ａが第１操作電圧Ｖｄｃを受信するとともに、安定した第２操作電圧ＶDDをＰＷＭ回路１２６ｂへ出力して、ＰＷＭ回路１２６ｂがスムーズに動作できるようにする。他方、ＰＷＭ回路１２６ｂは、検知ユニット１２４により提供されるディスエーブル信号Ｖｄｉｓおよび電気エネルギー変換回路１２８により提供されるフィードバック信号ｉＬに従って、電気エネルギー変換回路１２８のためにＰＷＭ信号ＰＷＭＳを生成する。言い換えれば、ＰＷＭ回路１２６ｂが検知ユニット１２４のディスエーブル信号Ｖｄｉｓに従ってＰＷＭ信号ＰＷＭＳを出力するか否か判定するとともに、ＰＷＭ回路１２６ｂがフィードバック信号ｉＬに従ってＰＷＭ信号ＰＷＭＳのデューティサイクル（duty cycle）を調整する。
【００２６】
そして、電気エネルギー変換回路１２８がＬＥＤ１１０を駆動し、かつＷＭ信号ＰＷＭＳに従ってＬＥＤ１１０の駆動信号Ｓｄｒの電圧および電流を調整して、ＬＥＤ１１０の輝度を調整する。また、電気エネルギー変換回路１２８がフィードバック信号ｉＬをＰＷＭ回路１２６ｂへ出力し、そのうち、フィードバック信号ｉＬが電気エネルギー変換回路１２８により出力される駆動信号Ｓｄｒの電圧および電流の状態を含んでいる。この典型的な実施形態中、電気エネルギー変換回路１２８は、降圧（buck）回路、昇圧（boost）回路またはフライバック（flyback）回路であり、あるいは、その機能もまた降圧変換器（buck converter）または昇圧変換器（boost converter）を使用して実現できる。しかし、この考案は、それに限定されるものではない。
【００２７】
加えて、検知ユニット１２４がフィルター１２４ａとヒステリシス比較器１２４ｃを含む。フィルター１２４ａが整流回路１２２に連結されるとともに、第１操作電圧Ｖｄｃを受信して比較電圧Ｖｉｎを出力する。ヒステリシス比較器１２４ｃがフィルター１２４ａに連結されるとともに、参考電圧Ｖｒｅｆを比較電圧Ｖｉｎと比較して、第１操作電圧Ｖｄｃが臨界電圧より低いか等しいかを判断し、かつ判定結果に従って、ディスエーブル信号Ｖｄｉｓを出力する。その外、検知ユニット１２４が更に処理ユニット１２６に連結された参考電圧発生器１２４ｂを含む。参考電圧発生器１２４ｂが第２操作電圧ＶDDを受信して参考電圧Ｖｒｅｆを出力する。しかし、この考案は、それに限定されないとともに、別な実施形態中、参考電圧Ｖｒｅｆもまた外部回路から入力される。
【００２８】
他方、この実施形態中、処理ユニット１２６が特定用途向け集積回路（application specific integrated circuit = ASIC）として履行される。しかし、この考案は、それに限定されるものではない。ここで、ＡＳＩＣは、ＨＶ9910 SupertexＬＥＤ駆動器であることができ、ＬＥＤ駆動器のＰＷＭＤピンがディスエーブル信号Ｖｄｉｓを受信し、そのＣＳピンがフィードバック信号ｉＬを受信し、Ｖｉｎピンが第１操作電圧Ｖｄｃを受信し、ＧＡＴＥピンがＷＭ信号ＰＷＭＳを出力するとともに、そのＶDDピンが第２操作電圧ＶDDを出力する。上記したＬＥＤ駆動器のピンの定義は、製造者の仕様書を参照できるので、ここでは改めて説明しない。
【００２９】
図１Ｂは、図１Ａ中の照明装置を示す検知ユニットの回路図である。図１Ａと図１Ｂとにおいて、フィルター１２４ａが抵抗器Ｒ１&Ｒ２とキャパシターＣ１&Ｃ２と抵抗器Ｒ５を含む。抵抗器Ｒ１が整流回路１２２およびキャパシターＣ１間に連結されるとともに、第１操作電圧Ｖｄｃを受信する。キャパシターＣ１が抵抗器Ｒ１および接地ＧＮＤ間に連結される。抵抗器Ｒ２がキャパシターＣの連結点および抵抗器Ｒ１ならびにヒステリシス比較器１２４ｃの＋入力端間に連結される。キャパシターＣ２がヒステリシス比較器１２４ｃの＋入力端および接地ＧＮＤ間に連結される。抵抗器Ｒ５が抵抗器Ｒ１および接地ＧＮＤ間に連結される。
【００３０】
第１操作電圧Ｖｄｃが抵抗器Ｒ１および抵抗器Ｒ５により分割されるとともに、抵抗器Ｒ１&Ｒ２とキャパシターＣ１&Ｃ２によって2位相ＲＣ濾過が行われた後、比較電圧Ｖｉｎがヒステリシス比較器１２４ｃの＋出力点へ出力され、そのうち、比較電圧Ｖｉｎが第１操作電圧Ｖｄｃに対応する直流（direct current = DC）であり、かつ比較電圧Ｖｉｎおよび第１操作電圧Ｖｄｃ間の関係が抵抗器Ｒ１&Ｒ２間の分割比率を調整することで調整できる。ヒステリシス比較器１２４ｃがその−入力端を介して参考電圧Ｖｒｅｆを受信するとともに、参考電圧Ｖｒｅｆをその＋入力端を通じて受信する比較電圧Ｖｉｎと比較して、ディスエーブル信号Ｖｄｉｓを出力するか否か判定する。
【００３１】
詳細には、比較電圧Ｖｉｎが参考電圧Ｖｒｅｆより大きい（つまり、第１操作電圧Ｖｄｃが臨界電圧より大きい）時、ヒステリシス比較器１２４ｃの出力端は、ディスエーブル信号Ｖｄｉｓを出力しないとともに、ＰＷＭ回路１２６ｂが正常にＰＷＭ信号ＰＷＭＳを生成する。比較電圧Ｖｉｎが参考電圧Ｖｒｅｆより小さいか等しい（つまり、第１操作電圧Ｖｄｃが小さすぎる）時、ヒステリシス比較器１２４ｃの出力端は、ディスエーブル信号Ｖｄｉｓを出力してＰＷＭ回路１２６ｂがＰＷＭ信号ＰＷＭＳを生成することを停止して（つまり、ＰＷＭ信号ＰＷＭＳが不動作にされて）、ＬＥＤ１１０が発光を停止する。それにより、第１操作電圧Ｖｄｃが小さすぎるようになった時、ＬＥＤ１１０中の閃光（light flashing）が防止される。
【００３２】
特記すべきは、検知ユニット１２４が比較電圧Ｖｉｎを参考電圧Ｖｒｅｆと比較することにより第１操作電圧Ｖｄｃが臨界電圧より大きいか否かを判断するので、検知ユニット１２４により受信された参考電圧Ｖｒｅｆが臨界電圧を提供することであり、そのうち、参考電圧Ｖｒｅｆおよび臨界電圧間の関係は、第１操作電圧Ｖｄｃおよび比較電圧Ｖｉｎ間のそれに類似していることである。また、この実施形態中、比較電圧Ｖｉｎが2位相ＲＣ濾過を通じて獲得される。しかし、この考案は、それに限定されるものではないとともに、別な実施形態中、比較電圧Ｖｉｎもまた1位相ＲＣ濾過あるいは別な整流技術を通じて獲得されるであろう。
【００３３】
この実施形態中、参考電圧発生器１２４ｂが第２操作電圧ＶDDおよび接地ＧＮＤに直列な抵抗器Ｒ３&Ｒ４よりなる。参考電圧発生器１２４ｂが第２操作電圧ＶDDを分割するとともに、参考電圧Ｖｒｅｆを生成する。また、異なる回路設計要求のため、参考電圧Ｖｒｅｆの値は、ＬＥＤ１１０の電気特性に従って調整される、あるいは、参考電圧Ｖｒｅｆの適切な値もまた実験を介して獲得される。
【００３４】
図１Ｃは、図１Ａ中の照明装置を示す検知ユニットの別な回路図である。図１Ｂと図１Ｃとにおいて、２つの回路間の差異は、ツェナーダイオード（zener diode）Ｄ１である。ツェナーダイオードＤ１が抵抗器Ｒ３および接地ＧＮＤ間に連結され、第２操作電圧ＶDDを参考電圧Ｖｒｅｆに変換し、そのうち、参考電圧Ｖｒｅｆの値がツェナーダイオードＤ１の電気特性により制御される。
【００３５】
図２〜図５は、異なる遅延角度αを有する照明装置１００中の第１操作電圧Ｖｄｃと比較電圧Ｖｉｎとを示す波形図である。具体的には、図２と図３と図４と図５とは、それぞれ遅延角度α＝２６°（調光器のMAXレベルに対応する）とα＝５４°（調光器の３ｒｄレベルに対応する）とα＝１１７°（調光器の５ｔｈレベルに対応する）とα＝１３５°（調光器の６ｔｈレベルに対応する）との波形を示しており、そのうち、参考点Ｂ１が第１操作電圧Ｖｄｃの参考点であり、参考点Ｂ２が比較電圧Ｖｉｎの参考点である。図２において、遅延角度α＝２６°の時、比較電圧Ｖｉｎが約２０Ｖである。図３において、遅延角度α＝５４°の時、比較電圧Ｖｉｎが約１８Ｖである。図４において、遅延角度α＝１１７°の時、比較電圧Ｖｉｎが約６．５５Ｖである。図５において、遅延角度α＝１３５°の時、比較電圧Ｖｉｎが約３．７５Ｖである。このように、遅延角度αがより大きい時、比較電圧Ｖｉｎがより小さい。また、比較電圧Ｖｉｎが臨界電圧より小さいか等しい時、検知ユニット１２４は、ディスエーブル信号Ｖｄｉｓを出力してＰＷＭ回路１２６ｂがＰＷＭ信号ＰＷＭＳを生成するのを停止する。それによって、不安定なＰＷＭ信号ＰＷＭＳが生成されないとともに、それによりＬＥＤ中の閃光が回避される。
【００３６】
加えて、上記したＬＥＤ駆動回路１２０に応用できるＬＥＤ駆動方法がこの考案の上記した実施形態から導く出すことができる。図６は、この考案の実施形態にかかるＬＥＤ駆動方法を示すフローチャートである。図６において、この実施形態中、ＡＣ電力が整流されて第１操作電圧を出力する（ステップＳ６０１）。そして、第１操作電圧およびＰＷＭ信号が受信される（ステップＳ６０２）とともに、駆動信号が第１操作電圧およびＰＷＭ信号に従って出力されてＬＥＤを駆動する（ステップＳ６０３）。次に、第１操作電圧が検知される。第１操作電圧が臨界電圧より小さいか等しい時、ＰＷＭ信号が不動作となりＬＥＤを駆動することが停止される（ステップＳ６０４）。
【００３７】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その特許権保護の範囲は、特許請求の範囲および、それと均等な領域を基準として定めなければならない。
【符号の説明】
【００３８】
１００  照明装置
１１０  発光ダイオード（ＬＥＤ）
１２０  駆動回路
１２２  整流回路
１２４  検知ユニット
１２４ａ  フィルター
１２４ｂ  参考電圧発生器
１２４ｃ  ヒステリシス比較器
１２６  処理ユニット
１２６ａ  電圧安定回路
１２６ｂ  パルス幅変調回路
１２８  電気エネルギー変換回路
１３０  電源
１４０  調光器
Ｖａｃ  交流電流
Ｒ１〜Ｒ５  抵抗器
Ｖｓ，ＶDD,Ｖｄｃ，Ｖｉｎ，Ｖｒｅｆ  電圧
Ｃ１，Ｃ２  キャパシター
Ｄ１  ツェナーダイオード
Ｓｄｒ  駆動信号
ｉＬ  フィードバック信号
ＰＷＭＳ  パルス幅変調信号
Ｖｄｉｓ  ディスエーブル信号
Ｓ６０１〜Ｓ６０４  ステップ
【図１Ａ】
0003162194.tif 000003
【図１Ｂ】
0003162194.tif 000004
【図１Ｃ】
0003162194.tif 000005
【図６】
0003162194.tif 000006
【図２】
0003162194.tif 000007
【図３】
0003162194.tif 000008
【図４】
0003162194.tif 000009
【図５】
0003162194.tif 000010
【手続補正書】
【提出日】平成22年6月22日(2010.6.22)
【手続補正１】
【補正対象書類名】実用新案登録請求の範囲
【補正対象項目名】全文
【補正方法】変更
【補正の内容】
【実用新案登録請求の範囲】
【請求項１】
駆動回路であり、交流（alternating current = AC）電力を受信して発光ダイオード（light emitting diode = LED）を駆動することに適するものであって、前記駆動回路が：
ＡＣ電力を整流して第１操作電圧を出力するための整流回路と；
前記整流回路に連結され、第２操作電圧およびパルス幅変調（pulse width modulation = PWM）信号を出力するための処理ユニットと；
前記整流回路、前記処理ユニットおよび前記ＬＥＤ間に連結され、前記パルス幅変調信号に従って前記ＬＥＤを駆動するための電気エネルギー変換回路と；
前記整流回路および前記処理ユニットに連結されて、前記第１操作電圧を検知するための検知ユニットと
を備え、そのうち、前記第１操作電圧が臨界電圧より低いか等しい時、前記検知ユニットがディスエーブル信号を前記処理ユニットへ出力して前記パルス幅変調信号を不動作とするものである、駆動回路。
【請求項２】
前記処理ユニットが、前記ディスエーブル信号に従って前記パルス幅変調信号を出力するとともに、前記電気エネルギー変換回路により出力されるフィードバック信号に従って前記パルス幅変調信号を調整するものである請求項１に記載の駆動回路。
【請求項３】
前記処理ユニットが、電圧安定回路とＰＷＭ回路とを備え、そのうち、前記電圧安定回路の出力端が前記ＰＷＭ回路に連結され、前記電圧安定回路が前記第２操作電圧を出力し、かつ前記ＰＷＭ回路が前記パルス幅変調信号を出力する請求項１または２に記載の駆動回路。
【請求項４】
前記電圧安定回路が、前記第１操作電圧を受信して前記第２操作電圧を前記ＰＷＭ回路へ出力するものである請求項３に記載の駆動回路。
【請求項５】
前記検知ユニットが：
前記整流回路に連結され、前記第１操作電圧を受信して比較電圧を出力するフィルターと；
前記処理ユニットに連結され、前記第２操作電圧を受信して参考電圧を出力する参考電圧発生器と；
前記フィルターおよび前記参考電圧発生器に連結され、前記参考電圧および前記比較電圧を比べて前記第１操作電圧が前記臨界電圧より低いか等しいかを判定するとともに、それにより前記ディスエーブル信号を出力するヒステリシス比較器と
を備える請求項１から４の何れか１項に記載の駆動回路。
【請求項６】
前記フィルターが：
前記整流回路に連結される第１端を有して、前記第１操作電圧を受信する第１抵抗器と；
前記第１抵抗器の第２端に連結される第１端、ならびに前記比較電圧を出力するための第２端を有する第２抵抗器と；
前記第１抵抗器の前記第２端および接地間に連結される第１キャパシターと；
前記第２抵抗器の前記第２端ならびに前記接地間に連接される第２キャパシターと；
前記第１抵抗器の前記第２端および前記接地間に連接される第３抵抗器と
を備えるものである請求項５記載の駆動回路。
【請求項７】
前記参考電圧発生器が：
前記処理ユニットに連結される第１端および前記参考電圧を出力するための第２端を有する第４抵抗器と；
前記第４抵抗器の前記第２端および接地間に連結されるツェナーダイオード（zener diode）と
を備える請求項５記載の駆動回路。
【請求項８】
前記参考電圧発生器が：
前記処理ユニットに連結される第１端および前記参考電圧を出力するための第２端を有する第４抵抗器と；
前記第４抵抗器の前記第２端および接地間に連結される第５抵抗器と
を備える請求項５記載の駆動回路。
【請求項９】
前記処理ユニットが、特定用途向け集積回路（application specific integrated circuit = ASIC）である請求項１から８の何れか１項に記載の駆動回路。
【請求項１０】
前記電気エネルギー変換回路が、降圧（buck）回路、昇圧（boost）回路またはフライバック（flyback）回路である請求項１から９の何れか１項に記載の駆動回路。
【請求項１１】
前記ＡＣ電力が、調光器により調整されたＡＣ電力である請求項１から１０の何れか１項に記載の駆動回路。
【請求項１２】
照明装置であり、ＡＣ電力を受信して照明を提供することに適し、前記照明装置が：
ＬＥＤと；
前記ＬＥＤに連結される駆動回路とを備え、前記駆動回路が：
前記ＡＣ電力を整流して第１操作電圧を出力するための整流回路と；
前記整流回路に連結されて、第２操作電圧およびＰＷＭ信号を出力する処理ユニットと；
前記整流回路、前記処理ユニットならびに前記ＬＥＤ間に連結され、前記ＰＷＭ信号に従って、前記ＬＥＤを駆動するための電気エネルギー変換回路と；
前記整流回路および前記処理ユニットに連結されて、前記第１操作電圧を検知するための検知ユニットとを備え、
そのうち、前記第１操作電圧が臨界電圧より低いか等しい時、前記検知ユニットがディスエーブル信号を前記処理ユニットへ出力して前記ＰＷＭ信号を不動作とするものである、照明装置。
【請求項１３】
前記処理ユニットが、前記ディスエーブル信号に従って前記ＰＷＭ信号を出力するとともに、前記電気エネルギー変換回路により出力されるフィードバック信号に従って前記ＰＷＭ信号を調整するものである請求項１２に記載の照明装置。
【請求項１４】
前記処理ユニットが、電圧安定回路とＰＷＭ回路とを備え、そのうち、前記電圧安定回路の出力端が前記ＰＷＭ回路に連結され、前記電圧安定回路が前記第２操作電圧を出力し、かつ前記ＰＷＭ回路が前記ＰＷＭ信号を出力する請求項１２または１３に記載の照明装置。
【請求項１５】
前記電圧安定回路が、前記第１操作電圧を受信して前記第２操作電圧を前記ＰＷＭ回路へ出力するものである請求項１４記載の照明装置。
【請求項１６】
前記検知ユニットが：
前記整流回路に連結され、前記第１操作電圧を受信して比較電圧を出力するフィルターと；
前記処理ユニットに連結され、前記第２操作電圧を受信して参考電圧を出力する参考電圧発生器と；
前記フィルターおよび前記参考電圧発生器に連結され、前記参考電圧および前記比較電圧を比べて前記第１操作電圧が前記臨界電圧より低いか等しいかを判定するとともに、それにより前記ディスエーブル信号を出力するヒステリシス比較器と
を備える請求項１２から１５の何れか１項に記載の照明装置。
【請求項１７】
前記フィルターが：
前記整流回路に連結される第１端を有して、前記第１操作電圧を受信する第１抵抗器と；
前記第１抵抗器の第２端に連結される第１端、ならびに前記比較電圧を出力するための第２端を有する第２抵抗器と；
前記第１抵抗器の前記第２端および接地間に連結される第１キャパシターと；
前記第２抵抗器の前記第２端ならびに前記接地間に連接される第２キャパシターと；
前記第１抵抗器の前記第２端および前記接地間に連接される第３抵抗器と
を備えるものである請求項１６記載の照明装置。
【請求項１８】
前記参考電圧発生器が：
前記処理ユニットに連結される第１端および前記参考電圧を出力するための第２端を有する第４抵抗器と；
前記第４抵抗器の前記第２端および接地間に連結されるツェナーダイオード（zener diode）と
を備える請求項１６記載の照明装置。
【請求項１９】
前記参考電圧発生器が：
前記処理ユニットに連結される第１端および前記参考電圧を出力するための第２端を有する第４抵抗器と；
前記第４抵抗器の前記第２端および接地間に連結される第５抵抗器と
を備える請求項１６記載の照明装置。
【請求項２０】
前記処理ユニットが、特定用途向け集積回路（application specific integrated circuit = ASIC）である請求項１２から１９の何れか１項に記載の照明装置。
【請求項２１】
前記電気エネルギー変換回路が、降圧（buck）回路、昇圧（boost）回路またはフライバック（flyback）回路である請求項１２から２０の何れか１項に記載の照明装置。
【請求項２２】
前記ＡＣ電力が、調光器により調整されたＡＣ電力である請求項１２から２１の何れか１項に記載の照明装置。